(57)【要約】      （修正有）【課題】各部が一枚の板材から得られ、一対の環状をなす蛍光ランプなどの易損性の高い物品を収容でき、かつ、物品の出入が容易な包装箱を提供する。【解決手段】底面部１と、底面部１の上下に折目Ｂ１，Ｂ１を介して連接された第１の側面部２ａ、２ｂと、少なくとも一方の側面部２ａに折目Ｂ２を介して連接された蓋部３ａと、上記底面部１の左右に折目Ｂ３，Ｂ３を介して連接された係止片部４ａ，４ｂと、上記各第１の側面部２ａ，２ｂの左右に折目Ｂ４，Ｂ４を介して連接された第２の側面部５ａ〜５ｄと、この第２の側面部５ａ〜５ｄに折目Ｂ５，…および折目Ｂ５，…の端部に上記係止片部４ａ，４ｂが差し込まれる切込部Ｃ１〜Ｃ４を介して連接された仕切部６ａ〜６ｄとが形成され、上記各折目Ｂ１〜Ｂ５を内方に折り曲げ、対向する一対の第２の側面部５ａ〜５ｄが並設するように切込部Ｃ１〜Ｃ４に係止片部４ａ，４ｂを係合させた包装箱。【選択図】図２
2009143587.tif 000002
【特許請求の範囲】
【請求項１】
底面部と、この底面部の上下に折目を介して連接された第１の側面部と、少なくとも一方の側面部に折目を介して連接された蓋部と、上記底面部の左右に折目を介して連接された係止片部と、上記各第１の側面部の左右に折目を介して連接された第２の側面部と、この第２の側面部に折目および折目の端部に上記係止片部が差し込まれる切込部を介して連接された仕切部とが一枚の板材に形成してあり、
上記各折目を内方にほぼ直角に折り曲げ、互いに対向する一対の第２の側面部が並設した形状となるように切込部に係止片部を差し込んで係合させるとともに蓋体を閉止して組立てられることを特徴とする包装箱。
【請求項２】
上記係止片部の先端が円弧状に形成されていることを特徴とする請求項１記載の包装箱。
【請求項３】
上記蓋部側に位置する仕切部端部に突部が形成されているとともに一方の蓋部にこの突部を係止する透孔が形成してあることを特徴とする請求項１または２記載の包装箱。
【請求項４】
一対の環状蛍光ランプが仕切部によって仕切られ収容されていることを特徴とする請求項１ないし３のいずれか一に記載の包装箱。
【発明の詳細な説明】
【技術分野】
【０００１】
本発明は、環状蛍光ランプなど破損しやすい物品を収容する包装箱に関する。
【背景技術】
【０００２】
例えば易損性の高いガラス管が用いられた円環状の蛍光ランプは１本あるいは２本を１組として段ボール紙などで組み立てられた包装箱に収容して輸送され店頭などにおいて陳列販売される。そして、１本のランプの包装の場合は、一枚の板紙でもって予め設計し展開された形状に裁断されたものを折曲部において折り曲げ係止したり、あるいは連接した糊しろ部に糊を付着させるなどして組立てた箱体が用いられている。
【０００３】
また、２本の場合は、上記１本のランプを収容した包装箱２箱を糊付けや接着用テープを介して一体化したりあるいは箱内に入れられた２本のランプが接触して損傷しないようランプ間に緩衝防止の別製の仕切用の段ボール紙を介在させたりして包装していた。
【０００４】
しかし、上記の２本の蛍光ランプを包装する構成では、包装箱を２個分要したり、別製の仕切用紙を必要とするなど材料費がかさむとともに仕切用紙の場合はランプを含めその収容作業に多くの手間を要していた。
【０００５】
そこで、上記２本の蛍光ランプを収容する包装箱においての欠点を解消すべくランプ間の仕切りを一枚の板紙を用い包装箱と一体に裁断形成して、材料費および部品点数の削減がはかれることが例えば特許文献１や２に記載されている。
【０００６】
すなわち、これら特許文献１や２には包装箱を形成する蓋部や側面部に連接して相互ランプが直接に接触するのを防止するフラップ部（仕切部）が設けられている。
【特許文献１】特開平８−２９５３７９号公報
【特許文献２】実用新案登録第３１２７４５７号公報
【発明の開示】
【発明が解決しようとする課題】
【０００７】
しかし、上記特許文献に記載されたものはフラップ部（仕切部）が本体部と一体に設けられ部品点数を減らしランプ間の緩衝を防ぐことはできたが、箱体が糊付けで形成されているため組立てに手間を要するとともに箱体へのランプの出入が面倒であるという問題がある。
【０００８】
すなわち、糊を使用することは温度、湿度、粘度などの管理が複雑であるとともに現場における装置のメンテナンスなどに非常に手間を要する作業となる。また、特許文献のように糊付けして固着されたものでは、箱体の幅などが常時変わらず、したがって、ランプ間の間隔も変えられず一方のランプを出入させたい場合に他方のランプも同時に移動などしてしまい甚だしい場合にはランプを落下して破損してしまうなどの不具合があった。
【０００９】
本発明は、上記事情に鑑みなされたもので、連接した各部が一枚の板材から一体裁断して得られ、糊を用いることなく一対の環状や板体状をなす蛍光ランプあるいは皿などの食器類など易損性の高い物品を安全に収容でき、かつ、物品の出入が容易な包装箱を提供することを目的とする。
【課題を解決するための手段】
【００１０】
本発明の請求項１に記載の包装箱は、底面部と、この底面部の上下に折目を介して連接された第１の側面部と、少なくとも一方の側面部に折目を介して連接された蓋部と、上記底面部の左右に折目を介して連接された係止片部と、上記各第１の側面部の左右に折目を介して連接された第２の側面部と、この第２の側面部に折目および折目の端部に上記係止片部が差し込まれる切込部を介して連接された仕切部とが一枚の板紙に形成してあり、上記各折目を内方にほぼ直角に折り曲げ、互いに対向する一対の第２の側面部が並設した形状となるように切込部に係止片部を差し込んで係合させるとともに蓋体を閉止して組立てられることを特徴とする。
【００１１】
外形が環形や板状形をした一対の物品が収容される一枚の板材からなる包装箱であって、包装箱は、底面部、第１の側面部、蓋部、係止片部、第２の側面部および仕切部が一枚の板紙に折目を介し連接して形成され、各折目をほぼ直角に内方に折り込むとともに先端に円弧状などの係止部を有する係止片部を第２の側面部と仕切部との間の折目に形成した切込部を差し込むことにより２つの物品収容室が設けられたもので糊などの他の部材や部品が用いられていない。
【００１２】
また、上記係止片部と切込部との関係は、係止片部に対し切込部側を回動させていくことにより２つの収容室が無理なく離れ、かつ、収容室間の間隔を広くとれ物品の出入が容易に行える。
【００１３】
また、収容された物品は個々に周囲が板材により囲まれているので、２つの物品相互が直接当接することがない。
【００１４】
本発明の包装箱は、段ボール、ボール紙や樹脂シートなどの板材を用い形成することができる。
【００１５】
また、包装箱に収容される物品としては、円形や角形などの環状をなす照明用ランプあるいは円皿や角皿など板体状の食器類など外形が環状や板状をなすガラスや陶器など破損しやすい物品を一対（２つ）保管や輸送するのに適用できる。
【００１６】
本発明の請求項２に記載の包装箱は、上記係止片部の先端が円弧状に形成されていることを特徴とする。
【００１７】
係止片部には２つの円弧状の頂部が形成され、１つの箱において４箇所の連結部が設けられることにより円滑な回動および重量物品に対処することができる。
【００１８】
本発明の請求項３に記載の包装箱は、上記蓋部側に位置する仕切部端部に突部が形成されているとともに一方の蓋部にこの突部を係止する透孔が形成してあることを特徴とする。
【００１９】
この包装箱は、蓋部を閉じた後、両収容室は蓋部に形成した透（係止）孔が仕切部端部に形成した突部を係止しているので両収容室を確実に密着させることができる。
【００２０】
本発明の請求項４に記載の包装箱は、一対の環状蛍光ランプが仕切部によって仕切られ収容されていることを特徴とする。
【００２１】
円形や角形などに曲折されたガラス管バルブを有する一対の環状蛍光ランプの出入が容易であるとともに、互いのランプが直接接触することなく収容することができる。
【発明の効果】
【００２２】
請求項１および２に記載の発明によれば、収容された２つの物品の輸送、搬出入時や積み上げ時に損傷の虞が少なく、かつ、取扱いし易い包装箱を一枚の板材から形成できるので経済性および生産性に優れた包装箱を提供することができる。
【００２３】
請求項３に記載の発明によれば、上記請求項１および２記載の効果を呈するとともにさらに強固で物品に損傷の少ない包装箱を提供することができる。
【００２４】
請求項４に記載の発明によれば、上記請求項１ないし３記載の効果を呈する環状蛍光ランプの包装箱を提供することができる。
【発明を実施するための最良の形態】
【００２５】
以下、本発明の実施の形態を図１ないし図４を参照して説明する。図１は本発明の組立てられた包装箱の斜視図、図２は図１の包装箱の展開図、図３はほぼ組立てられた包装箱内に２本の環状蛍光ランプが収容された状態を示す上方からみた斜視図、図４は図２中の要部である係止片部と切込部との係止状態を示す要部の説明図である。なお、本発明中に記載した各部の上下、左右などの表現は、図１を基準とした便宜上の説明用のもので、展開図や包装箱の向きによっては実態と異なる場合がある。
【００２６】
本発明の包装箱Ｈは例えば円環状の蛍光ランプＬ（円環外径約２２５ｍｍ、ガラス管バルブ外径約３２ｍｍ）が２本収容されるもので、図１に展開図で示すように板厚が３ｍｍ以下、例えば１〜２ｍｍの一枚の板段ボールを裁断したものからなり、ほぼ中央部に長手方向の長さが約２３０ｍｍ、幅が約６８ｍｍの底面部１が形成されている。この底面部１の長手方向に沿い両側には折目Ｂ１を介し連接して幅が約２３０ｍｍのほぼ正方形状の第１の側面部２ａ，２ｂと、この側面部２ａに折目Ｂ２を介して連接された幅が約６８ｍｍの上方の蓋部３ａと、側面部２ｂに折目Ｂ２を介して連接された幅が約５０ｍｍの下方の蓋部３ｂとが形成されている。
【００２７】
また、上記底面部１の左右には折目Ｂ３を介して連接された最大高さが約５０ｍｍの円弧状の頂部４１，４２を２つ有する係止片部４ａ，４ｂが形成されている。なお。４３は二つの頂部４１，４２間に形成された凹部である。
【００２８】
また、上記各第１の側面部２ａ，２ｂの左右には折目Ｂ４を介して連接された幅が収容される蛍光ランプＬのガラス管バルブとほぼ同径の約３４ｍｍの第２の側面部５ａ，５ｂ，５ｃ，５ｄと、この第２の側面部５ａ，５ｂ，５ｃ，５ｄに折目Ｂ５および折目Ｂ５の端部に上記係止片部４ａ，４ｂの頂部４１，４２が差し込まれる長さが約４０ｍｍの切込部Ｃ１，Ｃ２，Ｃ３，Ｃ４を介して連接された幅が約３４ｍｍの仕切部６ａ，６ｂ，６ｃ，６ｄとが形成されている。なお、６１，…は仕切部６ａ，６ｂ，６ｃ，６ｄの端部に形成された突部である。
【００２９】
また、上方の蓋部３ａには折目Ｂ６を介して舌片３１が連接され、下方の蓋部３ｂには折目Ｂ７を介して抑え片３３が連接されている。また、下方の蓋部３ｂの折目Ｂ２には上記上方の蓋部３ａの舌片３１が差し込まれる差込孔３２が、蓋部３ｂの端部近傍には上記仕切部の端部に形成した突部６１，…が係止される２つの透孔（係止孔）３４，３４が形成されている。
【００３０】
上記のような展開図に基づき裁断された板紙を用いた組み立ては、蓋部３ａ，３ｂ側に形成された折目Ｂ２，Ｂ６，Ｂ７を除く残りの折目Ｂ１，Ｂ３〜Ｂ５を内方にほぼ直角に折り曲げるとともに各係止片部４ａ，４ｂを対向した切込部Ｃ１，Ｃ２，Ｃ３，Ｃ４に差し込むことにより行われ（なお、これは逆の切込部Ｃ１，Ｃ２，Ｃ３，Ｃ４に対向した各係止片部４ａ，４ｂを差し込むことと同意味である。）切込部Ｃ１，Ｃ２，Ｃ３，Ｃ４が凹部４３，４３に落ち込むことにより第２の側面部５ａ，５ｂ，５ｃ，５ｄが係止される。すなわち、互いに対向する一対の第２の側面部５ａ，５ｂ，５ｃ，５ｄが並設した形状になるように切込部Ｃ１〜Ｃ４に各係止片部４ａ，４ｂを差し込み係合される。
【００３１】
このとき仕切部６ａと６ｂ間および隣接する仕切部６ｃと６ｄ間には仕切りがない部分が存在するが箱Ｈ内には２つ（一対）の仕切られた収容室７Ａ，７Ｂが形成される。
【００３２】
そして、この収容室７Ａ，７Ｂ内に収容物である環状の蛍光ランプＬ，Ｌをそれぞれ第１の側面部２ａ，２ｂに沿って入れ（図３）、まず、蓋部３ｂ側を折目Ｂ２からほぼ直角に折り曲げるとともに蓋部３ｂに形成した透孔（係止孔）３４，３４に仕切部６ａ，６ｂ，６ｃ，６ｄの端部に形成した各突部６１，６１を通し係止させる。この係止により２つの空室７Ａ，７Ｂはほぼ平行状態で密着して確実強固に一体化される。このとき蓋部３ｂに連接した抑え片３３を４５度程度折り曲げておくことにより、この抑え片３が両空室７Ａ，７Ｂ内のランプＬ，Ｌの上面に弾性的に当接してランプＬの飛び出しを防ぐことができる。
【００３３】
ついで、蓋部３ａ側を折目Ｂ２からほぼ直角に折り曲げるとともに蓋部３ａに形成した舌片３１を蓋部３ｂ側の折目Ｂ２に形成した差込孔３２に差し込むことにより環状蛍光ランプＬ，Ｌ２本入りの包装箱Ｈ（図１）の組立てが終わる。
【００３４】
このような構成の環状蛍光ランプＬ，Ｌ２本入りの包装箱Ｈは、一枚の板段ボールを裁断して糊や糊しろなど他の部品や部材を用いず一部材で実現できる。
【００３５】
この包装箱Ｈは２本の各蛍光ランプＬが、第１、第２の側面部２ａ，２ｂ，５ａ〜５ｄ、蓋部３ａ，３ｂ、底面部１および仕切部６ａ，６ｂ，６ｃ，６ｄからなる２つの隔離した収容室７Ａ，７Ｂ内に収容されているので、ランプＬ，Ｌ相互が当接することがないとともに箱Ｈ体の強度も強く、輸送や搬出入時あるいは積み上げ保管時などにおいて振動、衝撃や重圧を受けてもランプＬを保護して破損を防止できる。
【００３６】
また、この包装箱Ｈは、蓋部３ａ，３ｂを閉じた後、両収容室７Ａ，７Ｂは蓋部３ｂに形成した透孔（係止孔）３４，３４が仕切部６ａ，６ｂ，６ｃ，６ｄに形成した突部６１，６１を係止しているので確実に密着させることができるとともに上述した切込部Ｃ１，Ｃ２，Ｃ３，Ｃ４と凹部４３，４３との係止とあいまって強固になり容易に回動離隔することがない。
【００３７】
また、この包装箱Ｈにおける環形蛍光ランプＬ，Ｌの取り出しは蓋部３ａ側の舌片３１を差込孔３２から引き上げ蓋部３ａを開き、ついで、蓋部３ｂ側を透孔（係止孔）３４，３４内にある突部６１，…から外しながら引き上げ蓋部３ｂ側を開くことにより上方の係止が解ける。
【００３８】
さらに、一体化されていた主として第１の側面部２ａ，２ｂで形成されている収容室７Ａ，７Ｂ部分を相反する方向に力を加え引張るあるいは収容した物品の重力などで、切込部Ｃ１，Ｃ２，Ｃ３，Ｃ４と凹部４３，４３との係止が解けて、底面部１の折目Ｂ１、Ｂ１線を支点として拡開させることができる。
【００３９】
すなわち、第２の側面部５ａ，５ｂ，５ｃ，５ｄと仕切部６ａ，６ｂ，６ｃ，６ｄとの間の折目Ｂ５に形成されている切込部Ｃ１，Ｃ２，Ｃ３，Ｃ４内に差し込まれた係止片部４ａ，４ｂは、頂部４１，４２が円弧状をしたしかも切込部Ｃ１，Ｃ２，Ｃ３，Ｃ４の長さより長いので、頂部４１，４２が、常時、切込部Ｃ１，Ｃ２，Ｃ３，Ｃ４の最奥部と当接したブレーキの役を果たしている。また、この箱材は板段ボ−ルからなるので柔軟性があり両蓋部３ａ，３ｂや収容室７Ａ，７Ｂなどを把持して相反する方向に少々力を加えると回動拡開させることができる。（図４）
なお、この拡開は図４に示すように係止片部４ａ，４ｂの一方の頂部４１側の切込部Ｃ２，Ｃ４のみがしても、両側全ての切込部Ｃ１，Ｃ２，Ｃ３，Ｃ４が扇形のように拡開してもよい。
【００４０】
この拡開角度が１０度程度（１０度以上でもよい。）あれば、収容室７Ａ，７Ｂ内に手指を入れて内部からランプＬを容易に取り出すことができる。なお、包装箱Ｈの収容室７Ａ，７Ｂ内にランプＬを入れるときも同じ要領で拡開して行えば作業が容易にできる。
【００４１】
したがって、上記構成によれば、一枚の板ボール紙を裁断して糊や糊しろなど他の部品や部材を用いず一部材で実現できるので、板紙の材料採りにロスが少ないとともに部品点数が少なく生産性や経済性を高めることができる。
【００４２】
また、切込部Ｃ１，Ｃ２，Ｃ３，Ｃ４に差し込み係止される係止片部４ａ，４ｂの頂部４１，４２の形状が円弧状をしているので箱Ｈの組立時に差込作業が容易であり、また、開閉もし易い。この頂部４１，４２の円弧状部や切込部Ｃ１，Ｃ２，Ｃ３，Ｃ４などの形状や高さ、長さ、曲率などの寸法は板材の種類や厚さあるいは収容物品などを勘案して決めればよい。
【００４３】
また、ランプＬの出し入れに際し、各収容室７Ａ，７Ｂを離隔できるので、従来のように一方のランプを取り出すときなど他方のランプが位置ずれなどして収容箱から脱出落下してしまうなどの不具合の発生がなく、個々のランプＬ，Ｌを収容室７Ａ，７Ｂ内に確実に収容保持するとともに取扱い時に他方の収容室への干渉を極力抑制できる環状蛍光ランプ２本入りの包装箱Ｈを提供することができる。
【００４４】
なお、本発明の上記実施の形態においては、底面部２ａ，２ｂに連接した係止片部４ａ，４ｂに円弧状の頂部４１，４２をそれぞれ２つ形成し対向する４箇所の切込部Ｃ１，Ｃ２，Ｃ３，Ｃ４内に差し込むようにしたが、係止片部４ａ，４ｂの円弧状の頂部４１，４２はそれぞれ１つ形成し他方は切込部内から外に出ない係止された形状とし、１つの係止片部４ａ，４ｂは片側の収容室において１箇所の切込部と回動できる構成であってもよい。また、係止片部４ａ，４ｂに形成される頂部４１，４２の形状は円弧状に限らず、切込部Ｃ１，Ｃ２，Ｃ３，Ｃ４に差し込み係止できる形状であれば他の形状であってもよい。
【００４５】
なお、本発明は上記実施の形態に限定されるものではない。本発明が適用できる包装箱は、円環状の蛍光ランプに限らず四角形状に屈曲した環状蛍光ランプや四角形状の板体状蛍光ランプまたはこれら形状をした電球など照明用のランプあるいは円皿や角皿など板体状の食器類など外形が環状や板状をなすガラスや陶器など破損しやすい物品を一対（２つ）保管や輸送するのにも適用できる。
【００４６】
また、包装箱に収容される２つ（一対）の物品は、同形同寸のものに限らず、異なる場合は一方の物品に大きさを合わせる補助部材などを用いても差し支えない。
【００４７】
さらに、上記実施の形態では、包装箱の蓋を２枚の蓋部材を重ねる構造としたが、この構造に限らず２つの収容室の密着度は実施の形態のものより低下するが、汎用されている一枚の蓋に舌片が形成され、この舌片を蓋の他方側の側面部と物品との間に差し込む構造のものであってもよく、また、仕切部に形成した突部および蓋部に形成した透孔（係止孔）は必須のものではない。
【図面の簡単な説明】
【００４８】
【図１】本発明の組立てられた包装箱の斜視図である。
【図２】図１の包装箱の展開図である。
【図３】ほぼ組立てられた包装箱内に２本の環形蛍光ランプが収容された状態を示す上方からみた斜視図である。
【図４】図２中の要部である係止片部と切込部との係止状態を示す要部の説明図である。
【符号の説明】
【００４９】
Ｈ:包装箱
Ｌ：円環状蛍光ランプ
１：底面部
２ａ、２ｂ：第１の側面部
３ａ、３ｂ：蓋部
３４：透孔（係止孔）
４ａ、４ｂ：係止片部
５ａ〜５ｄ：第２の側面部
６ａ〜６ｄ：仕切部
６１：突部
７Ａ、７Ｂ：収容室
Ｂ１〜Ｂ７：折目
Ｃ１〜Ｃ４：切込部
【図１】
2009143587.tif 000003
【図２】
2009143587.tif 000004
【図３】
2009143587.tif 000005
【図４】
2009143587.tif 000006